(57)【要約】【課題】システム仕様の変更や使用するソフトウェアの変更などに伴うプログラムの変更・更新を簡単に行う。【解決手段】電気錠システム１は、利用者が所持する利用者用カード４に記憶された認証情報の正当性を判別し、正常に認証したときのみ錠前を施解錠する電気錠として、建物の各戸別毎に配設された戸別側電気錠３と、建物の共用部に配設された共用部側電気錠２とを備える。共用部側電気錠２は、戸別側電気錠３に必要な更新プログラムを記憶し、利用者用カード４から認証情報を読み取って正常に認証したときに、その利用者用カード４に更新プログラムを書き込む機能を有する。戸別側電気錠３は、利用者用カード４から認証情報を読み取って正常に認証したときに、戸別側電気錠３の施解錠に利用者用カード４に記憶された更新プログラムに基づいて処理プログラムを変更・更新する機能を有する。【選択図】図１
2008127842.tif 000002
【特許請求の範囲】
【請求項１】
錠前の施解錠を許容する利用者が所持する利用者用カードに記憶された認証情報の正当性を判別し、正常に認証したときのみ錠前を施解錠する電気錠として、建物の各戸別毎に配設された戸別側カード式電気錠と、前記建物の共用部に配設された共用部側カード式電気錠とを備えた電気錠システムにおいて、
前記共用部側カード式電気錠は、前記戸別側カード式電気錠に必要な更新プログラムを記憶し、前記利用者用カードから認証情報を読み取って正常に認証したときに、当該利用者用カードに前記更新プログラムを書き込む機能を有し、
前記戸別側カード式電気錠は、前記利用者用カードから認証情報を読み取って正常に認証したときに、前記共用部側カード式電気錠の施解錠時に当該利用者用カードに記憶された前記更新プログラムに基づいて処理プログラムを変更・更新する機能を有することを特徴とする電気錠システム。
【請求項２】
錠前の施解錠を許容する利用者が所持する利用者用カードに記憶された認証情報の正当性を判別し、正常に認証したときのみ錠前を施解錠する電気錠として、建物の各戸別毎に配設された戸別側カード式電気錠と、前記建物の共用部に配設された共用部側カード式電気錠とを備え、さらに前記戸別側カード式電気錠にホームサーバを介して室内デバイスが必要に応じてネットワーク接続された電気錠システムにおいて、
前記共用部側カード式電気錠は、前記戸別側カード式電気錠及び前記室内デバイスに必要な更新プログラムを記憶し、前記利用者用カードから認証情報を読み取って正常に認証したときに、当該利用者用カードに前記更新プログラムを書き込む機能を有し、
前記戸別側カード式電気錠は、前記利用者用カードから認証情報を読み取って正常に認証したときに、前記共用部側カード式電気錠の施解錠時に当該利用者用カードに記憶された前記更新プログラムに基づいて処理プログラムを変更・更新する機能を有し、
前記室内デバイスは、対応する前記戸別側カード式電気錠の施解錠時に前記ホームサーバを介して転送される前記更新プログラムに基づいて処理プログラムを変更・更新する機能を有することを特徴とする電気錠システム。
【発明の詳細な説明】
【技術分野】
【０００１】
本発明は、利用者が所持する利用者用カードを利用して、システム仕様の変更や使用するソフトウェアの変更などに伴う処理プログラムの変更・更新を簡単に行うことができる電気錠システムに関するものである。
【背景技術】
【０００２】
カード式電気錠は、例えばホテルやオフィスビル等の商業施設や公共施設の入出口、集合住宅や一般住宅のエントランスや玄関等の様々な場所において従来から幅広く普及している。この種のカード式電気錠は、各所の電気錠毎に予め割り当てられた特定の暗号や施解錠情報等の各種データが記憶されたカードを用い、このカードに記憶されている各種データ（例えば特定の暗号による施解錠データ）を読み取り、読み取った各種データを予め登録された情報と照合して正当性を判別し、正常に認証した場合のみ、そのときの錠前の施解錠状態や扉の開閉状態に応じて錠前の施解錠制御を行うものである。
【０００３】
このようなカード式電気錠は、ピッキング等の不正な施解錠行為を防止し、且つ、鍵の複製が非常に困難なため、セキュリティー面において信頼されている。また、各カード毎の各種データをホストコンピューターで管理しているため、データ破損等の心配がなく、カードを紛失した場合においてもカードを再発行することが可能である。このようなカード式電気錠を用いたシステムとしては、例えば下記特許文献１に開示される出入管理システムが知られている。
【特許文献１】特開２００１−２４１２２６号公報
【発明の開示】
【発明が解決しようとする課題】
【０００４】
ところで、上述したカード式電気錠を例えばマンション等の集合住宅に採用し、同じ処理プログラムに従って錠前の施解錠を制御するマイコン内蔵の電気錠を各住戸（専有部）毎に設けた電気錠システムの提案がなされている。この種の電気錠システムでは、システム仕様の変更や使用するソフトウェアの変更に伴って各住戸の電気錠の処理プログラムを変更・更新したい場合、サービスマンが各住戸毎に直接アポを取り、各住戸まで出向いて電気錠のプログラム変更作業を行っていた。
【０００５】
しかしながら、上述した従来の方法では、住戸の戸数が多いマンションなどの場合、各住戸毎のプログラム変更作業を各住戸毎に行わなければならず、気が遠くなる作業となり、作業者にかかる負担が大きいという課題があった。
【０００６】
そこで、本発明は上記問題点に鑑みてなされたものであり、システム仕様の変更や使用するソフトウェアの変更などに伴う処理プログラムの変更・更新を簡単に行うことができる電気錠システムを提供することを目的とするものである。
【課題を解決するための手段】
【０００７】
上記した目的を達成するために、請求項１に記載された電気錠システムは、錠前の施解錠を許容する利用者が所持する利用者用カードに記憶された認証情報の正当性を判別し、正常に認証したときのみ錠前を施解錠する電気錠として、建物の各戸別毎に配設された戸別側カード式電気錠と、前記建物の共用部に配設された共用部側カード式電気錠とを備えた電気錠システムにおいて、
前記共用部側カード式電気錠は、前記戸別側カード式電気錠に必要な更新プログラムを記憶し、前記利用者用カードから認証情報を読み取って正常に認証したときに、当該利用者用カードに前記更新プログラムを書き込む機能を有し、
前記戸別側カード式電気錠は、前記利用者用カードから認証情報を読み取って正常に認証したときに、前記共用部側カード式電気錠の施解錠時に当該利用者用カードに記憶された前記更新プログラムに基づいて処理プログラムを変更・更新する機能を有することを特徴とする。
【０００８】
請求項２に記載された電気錠システムは、錠前の施解錠を許容する利用者が所持する利用者用カードに記憶された認証情報の正当性を判別し、正常に認証したときのみ錠前を施解錠する電気錠として、建物の各戸別毎に配設された戸別側カード式電気錠と、前記建物の共用部に配設された共用部側カード式電気錠とを備え、さらに前記戸別側カード式電気錠にホームサーバを介して室内デバイスが必要に応じてネットワーク接続された電気錠システムにおいて、
前記共用部側カード式電気錠は、前記戸別側カード式電気錠及び前記室内デバイスに必要な更新プログラムを記憶し、前記利用者用カードから認証情報を読み取って正常に認証したときに、当該利用者用カードに前記更新プログラムを書き込む機能を有し、
前記戸別側カード式電気錠は、前記利用者用カードから認証情報を読み取って正常に認証したときに、前記共用部側カード式電気錠の施解錠時に当該利用者用カードに記憶された前記更新プログラムに基づいて処理プログラムを変更・更新する機能を有し、
前記室内デバイスは、対応する前記戸別側カード式電気錠の施解錠時に前記ホームサーバを介して転送される前記更新プログラムに基づいて処理プログラムを変更・更新する機能を有することを特徴とする。
【発明の効果】
【０００９】
本発明の電気錠システムによれば、システム仕様の変更や使用するソフトウェアの変更などに伴って電気錠や室内デバイスの処理プログラムの変更・更新を行う場合、メーカーの作業者が共用部側電気錠に予め必要な更新プログラムを記憶させておけば、共用部側電気錠の解錠（又は施錠）操作時に利用者用カードに更新プログラムを記憶させ、利用者用カードを媒体として利用者に更新プログラムを運ばせ、戸別側電気錠の解錠（又は施錠）操作時に戸別側電気錠や室内デバイスの処理プログラムを簡単に変更・更新することができる。これにより、メーカーの作業者も利用者も煩わしい作業が全て無くなり、しかも早く作業を完了させることが可能になる。
【発明を実施するための最良の形態】
【００１０】
以下、本発明の最良の形態について、添付した図面を参照しながらそれぞれ詳細に説明する。図１は本発明に係る電気錠システムのブロック構成図、図２は同電気錠システムにおいてカード式電気錠や室内デバイスの処理プログラムを変更・更新する場合の処理手順を示す説明図である。以下では、本発明に係る電気錠システムを集合住宅に採用した場合を例にとって説明するが、集合住宅のみ限定されるものではなく、共用部と各戸別の専有部（例えばテナントなど）とにカード式電気錠を用いた建物に本発明に係る電気錠システムを採用することができる。
【００１１】
図１に示すように、本例の電気錠システム１は、例えばエントランスや駐車場などの集合住宅の共用部に配設された共用部側カード式電気錠（以下、共用部側電気錠と言う）２と、集合住宅の各住戸毎に配設される戸別側カード式電気錠（以下、戸別側電気錠と言う）３とを少なくとも備えて構成される。これら共用部側電気錠２や戸別側電気錠３は、利用者が所持する利用者用カード４の認証情報に基づいて各々独立して錠前の施錠制御が行われる。また、各住戸の戸別側電気錠３には、その住戸内の例えばエアコンなどの室内デバイス５を集中管理・制御するホームサーバ６が必要に応じてネットワーク接続されるようになっている。
【００１２】
そして、本例の電気錠システム１において、共用部側電気錠２は、戸別側電気錠３（室内デバイス５を含む場合もある）に必要な更新プログラムを記憶し、利用者用カード４から認証情報を読み取って正常に認証したときに、その利用者用カード４に更新プログラムを書き込む機能を有している。また、戸別側電気錠３は、利用者用カード４から認証情報を読み取って正常に認証したときに、共用部側電気錠２の施解錠時に利用者用カード４に記憶された更新プログラムに基づいて処理プログラムを変更・更新する機能を有している。さらに、室内デバイス５は、対応する戸別側電気錠３の施解錠時にホームサーバ６を介して転送される更新プログラムに基づいて処理プログラムを変更・更新する機能を有している。
【００１３】
本例で使用する利用者用カード４は、集合住宅への入室を許可された入居者が利用するカードであり、例えば磁気カード、ＩＣカード、非接触ＩＣチップ内蔵カードなどで構成される。この利用者用カード４は、錠前の施解錠に必要なカード種別やカードＩＤ等の認証情報を記憶するための記憶領域４ａを有している。また、この記憶領域４ａには、共用部側電気錠２のシステム変更や更新に必要な更新プログラムの他、利用者用カード４を用いて共用部側電気錠２を解錠した際に、戸別側電気錠３（各住戸毎の室内デバイス５も含む）のシステムの変更や更新に必要な更新プログラムが記憶されるようになっている。
【００１４】
次に、本例のカードロックシステム１の各部の構成について、図１及び図２を参照しながら詳細に説明する。
【００１５】
まず、共用部側電気錠２は、図２に示すような例えばエントランスや駐車場などの集合住宅の共用部７に配設され、共用部側施解錠制御部２１、共用部側駆動機構２２、共用部側電源部２３を備えて構成される。
【００１６】
また、共用部側施解錠制御部２１は、図１に示すように、共用部側カード情報読書手段２１ａ、共用部側制御手段２１ｂ、共用部側記憶手段２１ｃを備えている。
【００１７】
共用部側カード情報読書手段２１ａは、利用者用カード４の記憶領域４ａに記憶された認証情報を読み取る読取手段と、利用者用カード４の記憶領域４ａに更新プログラムを書き込む書込手段の両方の機能を備えたカードリーダ／ライタで構成される。
【００１８】
さらに説明すると、共用部側カード情報読書手段２１ａは、錠前の解錠（施錠）時において、利用者用カード４の記憶領域４ａに記憶された認証情報（カード種別やカードＩＤなどの錠前の施解錠に必要な情報）を読み取り、この読み取った認証情報を共用部側制御手段２１ｂに出力している。また、共用部側カード情報読書手段２１ａは、利用者用カード４からのカード情報を共用部側制御手段２１ｂが正常認証して錠前の解錠（施錠）が行われたときに、その利用者用カード４の記憶領域４ａに対し、戸別側電気錠３（各住戸毎の室内デバイス５も含む）のシステムの変更や更新に必要な更新プログラムを書き込んでいる。
【００１９】
共用部側制御手段２１ｂは、例えばＣＰＵなどのマイクロコンピュータなどで構成され、錠前の解錠（施錠）時において、共用部側記憶手段２１ｃに記憶された処理プログラムに基づき、共用部側カード情報読書手段２１ａが読み取った認証情報と、共用部側記憶手段２１ｃに予め登録された施解錠情報とを照合してその正当性を判別し、正常に認証したときのみ錠前を施解錠制御している。また、共用部側制御手段２１ｂは、利用者用カード４の認証情報を正常認証して錠前の施解錠制御を行ったときに、その利用者用カード４の記憶領域４ａに対し、共用部側記憶手段２１ｃに予め記憶された更新プログラムを書き込むべく共用部側カード情報読書手段２１ａを制御している。また、共用部側制御手段２１ｂは、利用者用カード４の認証情報を正常認証したときに、その利用者用カード４の記憶領域４ａに記憶された更新プログラムを共用部側記憶手段２１ｃにダウンロードして記憶し、この記憶した更新プログラムに基づいて共用部側電気錠２の処理プログラムを変更・更新している。さらに、共用部側制御手段２１ｂは、錠前の施解錠に関する施解錠情報の入出力制御の他、錠前の施解錠時に共用部側駆動機構２２を駆動させるための駆動制御信号の出力、共用部側電源部２３から共用部側駆動機構２２への電源供給の制御、錠前からモニタ情報として入力される状態信号（例えば、扉の開閉状態信号、錠前の施解錠状態信号）の判別処理などを行っている。
【００２０】
共用部側記憶手段２１ｃは、例えば磁気的、光学的記憶媒体若しくはＲＯＭ、ＲＡＭなどの半導体メモリで構成される。この共用部側記憶手段２１ｃは、共用部側制御手段２１ｂが錠前の施解錠制御時に実行する共用部側電気錠２の仕様に応じた処理プログラムを記憶する他、共用部側電気錠２を構成している各機器の機器情報、モニタ情報としての状態信号（扉の開閉状態信号や錠前の施解錠状態信号）などの施解錠制御に関する各種データを記憶している。また、共用部側記憶手段２１ｃは、共用部側電気錠２の施解錠制御に関する処理プログラムの他、システム仕様の変更や使用するソフトウェアの変更に伴って戸別側電気錠３や室内デバイス５の処理プログラムを変更・更新する際に必要な更新プログラムを記憶している。
【００２１】
共用部側駆動機構２２は、例えばモータやソレノイドなどの駆動装置と錠前で構成され、共用部側電気錠制御手段２１ｂから入力される駆動制御信号により錠前を解錠（または施錠）するべく駆動し、扉枠の係止穴に対してデッドボルトを突出（施錠時）又は引き込む（解錠時）ことにより錠前が施解錠される。
【００２２】
共用部側電源部２３は、例えば商用電源（ＡＣ１００Ｖ）としての外部電源や着脱交換可能な電池で構成され、共用部側電気錠２を構成する各部に必要な駆動電源を供給している。
【００２３】
次に、戸別側電気錠３は、図２に示すような各住戸別の玄関扉８に配設され、戸別側施解錠制御部３１、戸別側駆動機構３２、戸別側電源部３３を備えて構成される。
【００２４】
また、戸別側施解錠制御部３１は、図１に示すように、戸別側カード情報読書手段３１ａ、戸別側制御手段３１ｂ、戸別側記憶手段３１ｃを備えている。
【００２５】
戸別側カード情報読書手段３１ａは、錠前の解錠（施錠）時において、利用者用カード４の記憶領域４ａに記憶されたカード情報（認証情報、更新プログラム）を読み取り、読み取ったカード情報を戸別側制御手段１１ｂに出力する機能を少なくとも有するカードリーダ／ライタで構成される。
【００２６】
戸別側制御手段３１ｂは、例えばＣＰＵなどのマイクロコンピュータなどで構成され、錠前の解錠（施錠）時において、戸別側記憶手段３１ｃに記憶された処理プログラムに基づき、戸別側カード情報読書手段３１ａが読み取った認証情報と、戸別側記憶手段３１ｃに予め登録された施解錠情報とを照合してその正当性を判別し、正常に認証したときのみ錠前を施解錠制御している。また、戸別側制御手段３１ｂは、利用者用カード４の認証情報を正常認証したときに、その利用者用カード４の記憶領域４ａに記憶された更新プログラムを戸別側記憶手段３１ｃにダウンロードして記憶し、この記憶した更新プログラムに基づいて戸別側電気錠３の処理プログラムを変更・更新している。さらに、戸別側制御手段３１ｂは、錠前の施解錠に関する施解錠情報の入出力制御の他、錠前の施解錠時に戸別側駆動機構３２を駆動するための駆動制御信号の出力、戸別側電源部３３から戸別側駆動機構３２への電源供給の制御、錠前からモニタ情報として入力される状態信号（例えば、扉の開閉状態信号、錠前の施解錠状態信号）の判別処理などを行っている。
【００２７】
戸別側記憶手段３１ｃは、例えば磁気的、光学的記憶媒体若しくはＲＯＭ、ＲＡＭなどの半導体メモリで構成される。この戸別側記憶手段３１ｃは、戸別側制御手段３１ｂが錠前の施解錠制御時に実行する戸別側電気錠３の仕様に応じた各住戸で同一の処理プログラムの他、戸別側電気錠３を構成している各機器の機器情報、正常認証時の利用者用カード４の記憶領域４ａからダウンロードした更新プログラム、モニタ情報としての状態信号（扉の開閉状態信号や錠前の施解錠状態信号）などの施解錠制御に関する各種データを記憶している。
【００２８】
戸別側駆動機構３２は、例えばモータやソレノイドなどの駆動装置と錠前で構成され、戸別側制御手段３１ｂから入力される駆動制御信号により錠前を解錠（または施錠）するべく駆動し、扉枠の係止穴に対してデッドボルトを突出（施錠時）又は引き込む（解錠時）ことにより錠前が施解錠される。
【００２９】
戸別側電源部３３は、例えば商用電源（ＡＣ１００Ｖ）である外部電源で構成され、通電金具を介して戸別側電気錠３を構成する各部に必要な駆動電源を供給している。また、戸別側電源部３３は、錠前やエスカチオン（化粧板）の内部に着脱可能に設けられる電池で構成し、この電池から戸別側電気錠３を構成する各部に駆動電源を供給することもできる。
【００３０】
次に、上記構成によるカードロックシステム１の動作について説明する。本例のシステムが採用されるマンションなどの集合住宅では、住人に対するセキュリティー強化を図るため、各住戸別の玄関扉８に配設される戸別側電気錠３とは別に、共用部７に共用部側電気錠２が配設されている。
【００３１】
そして、システム仕様の変更や使用するソフトウェアの変更に伴って共用部側電気錠２や各住戸の戸別側電気錠３（各住戸の室内デバイス５も含む）の処理プログラムの変更・更新を行う場合には、事前にメーカーの作業者が共用部側電気錠２の共用部側記憶手段２１ｃに必要な更新プログラムを書き込んで記憶させておく（図２の（イ）の状態）。この際、共用部側電気錠２は、共用部側記憶手段２１ｃに書き込まれた更新プログラムによって処理プログラムが変更・更新される。
【００３２】
その後、各住戸の入居者が共用部７から入るために、利用者用カード４を共用部側電気錠２の前でかざすと、利用者用カード４の認証情報が共用部側カード情報読書手段２１ａによって読み込まれ、読み込まれた認証情報が共用部側制御手段２１ｂに送られる。共用部側制御手段２１ｂでは、共用部側記憶手段２１ｃに記憶された処理プログラムに基づき、利用者用カード４から取得した認証情報と、共用部側記憶手段２１ｃに記憶された施解錠情報とを照合し、利用者用カード４の認証情報を正常認証すると、錠前を解錠するべく共用部側駆動機構２２に駆動制御信号が送られる。そして、この錠前の解錠に伴い、利用者用カード４の記憶領域４ａに対し、共用部側記憶手段２１ｃに事前に記憶された更新プログラムが共用部側カード情報読書手段２１ａによって書き込まれる（図２の（ロ）の状態）。
【００３３】
その後、入居者が自分の住戸の錠前を解錠操作するために戸別側電気錠３の前で利用者用カード４をかざすと、利用者用カード４の認証情報と更新プログラムとが共用部側カード情報読書手段３１ａによって読み込まれ、読み込まれた認証情報と更新プログラムとが戸別側制御手段３１ｂに送られる。戸別側制御手段３１ｂでは、戸別側記憶手段３１ｃに記憶された処理プログラムに基づき、利用者用カード４から取得した認証情報と、戸別側記憶手段３１ｃに記憶された施解錠情報とを照合し、利用者用カード４の認証情報を正常認証すると、錠前を解錠すべく戸別側駆動機構３２に駆動制御信号が送られる。そして、戸別側制御手段３１ｂは、この錠前の解錠に伴い、利用者用カード４から取得した更新プログラムを戸別側記憶手段３１ｃにダウンロードして記憶し、この記憶した更新プログラムに従って処理プログラムを変更・更新する（図２の（ハ）の状態）。
【００３４】
また、戸別側電気錠３がホームサーバ６とネットワーク接続されている場合には、利用者用カード４からダウンロードした更新プログラムがホームサーバ６に送られる（図２の（ニ）の状態）。そして、ホームサーバ６は、例えばエアコンなどの室内デバイス５に対し、戸別側電気錠３からの更新プログラムを転送する。室内デバイス５は、ホームサーバ６から転送される更新プログラムをダウンロードして記憶手段５ａに記憶し（図２の（ホ）の状態）、この記憶手段５ａに記憶した更新プログラムに従って処理プログラムを変更・更新する。
【００３５】
このように、本例の電気錠システム１によれば、システム仕様の変更や使用するソフトウェアの変更などに伴って電気錠や室内デバイスの処理プログラムの変更・更新を行う場合、メーカーの作業者が共用部側電気錠２の共用部側記憶手段２１ｃに予め必要な更新プログラムを記憶させておけば、共用部側電気錠２の解錠（又は施錠）操作時に利用者用カード４に更新プログラムを記憶させ、利用者用カード４を媒体として利用者に更新プログラムを運ばせ、戸別側電気錠３の解錠（又は施錠）操作時に戸別側電気錠３や室内デバイス５の処理プログラムを簡単に変更・更新することができる。これにより、メーカーの作業者は共用部側電気錠のみに必要な更新プログラムを書き込む作業だけで済み、また利用者はカードを電気錠にかざすだけの操作で良く、メーカーの作業者も利用者も煩わしい作業が全て無くなる。しかも、処理プログラムの変更・更新を一連の電気錠の施解錠操作の中で行え、早く作業を完了させることが可能になる。
【図面の簡単な説明】
【００３６】
【図１】本発明に係る電気錠システムのブロック構成図である。
【図２】本発明に係る電気錠システムにおいてカード式電気錠や室内デバイスの処理プログラムを変更・更新する場合の処理手順を示す説明図である。
【符号の説明】
【００３７】
１  電気錠システム
２  共用部側電気錠
３  戸別側電気錠
４  利用者用カード
４ａ  記憶領域
５  室内デバイス
５ａ  記憶手段
６  ホームサーバ
７  共用部
８  玄関扉
２１  共用部側施解錠制御部
２１ａ  共用部側カード情報読書手段
２１ｂ  共用部側制御手段
２１ｃ  共用部側記憶手段
２２  共用部側駆動機構
２３  共用部側電源部
３１  戸別側施解錠制御部
３１ａ  戸別側カード情報読書手段
３１ｂ  戸別側制御手段
３１ｃ  戸別側記憶手段
３２  戸別側駆動機構
３３  戸別側電源部
【図１】
2008127842.tif 000003
【図２】
2008127842.tif 000004